(57)【要約】【課題】簡易な機構でありながら、決まった時刻に気分のよい目覚めを実現するアラーム装置、およびプログラムを提供する。【解決手段】ユーザが操作部１１を用いてアラーム時刻、およびアラーム楽音を設定すると、制御部１２は、アラーム時刻からの遡上時間を設定し、アラーム楽音に対応するプリアラーム楽音をＲＯＭ１９から選択する。このアラーム時刻から遡上時間を遡った時刻をプリアラーム時刻として、現在時刻がプリアラーム時刻に達したとき、プリアラーム楽音を発音する。プリアラーム楽音は、アラーム楽音よりも緩やかで温和な楽音である。【選択図】図２
2007271296.tif 000002
【特許請求の範囲】
【請求項１】
現在時刻を計時する計時手段と、
複数種類の音声を発生する発音手段と、
ユーザがアラーム時刻を設定したとき、この設定されたアラーム時刻に前記発音手段に発生させる音声であるアラーム音を設定し、
設定されたアラーム時刻より所定時間前のプリアラーム時刻に前記発音手段に発生させる音声であるプリアラーム音を、前記アラーム音に基づいた音声に設定し、
前記発音手段に、現在時刻が前記プリアラーム時刻に達したときに前記プリアラーム音を発生させ、現在時刻が前記アラーム時刻に達したときに前記アラーム音を発生させる制御手段と、
を備えたアラーム装置。
【請求項２】
前記制御手段は、前記発音手段に、プリアラーム時刻に発生したプリアラーム音を、前記アラーム音の発音音量よりも小さい音量で、前記アラーム時刻まで段階的に音量を大きくしながら断続的に、または継続して発生させる請求項１に記載のアラーム装置。
【請求項３】
前記制御手段は、前記プリアラーム音として、環境音の楽音を設定する請求項１、または請求項２に記載のアラーム装置。
【請求項４】
周囲環境音を収音する収音手段をさらに備え、
前記制御手段は、前記プリアラーム時刻に前記発音手段に発生させる音声を、前記プリアラーム音に代えて、前記収音手段が収音する周囲環境音を増幅した増幅環境音に設定し、
前記発音手段に、現在時刻がプリアラーム時刻に達したとき、前記増幅環境音を発生させる請求項１、または請求項２に記載のアラーム装置。
【請求項５】
周囲環境音を収音する収音手段と、
前記収音手段が収音した周囲環境音を楽音情報として記録する記憶手段と、をさらに備え、
前記制御手段は、前記プリアラーム音として、前記記憶手段に記録されている周囲環境音の楽音情報を設定し、
前記発音手段に、現在時刻がプリアラーム時刻に達したとき、前記周囲環境音の楽音情報に基づく音声を発生させる請求項１、または請求項２に記載のアラーム装置。
【請求項６】
画像取得手段と、複数のスピーカユニットをアレイ状に配置したアレイスピーカと、をさらに備え、
前記制御手段は、前記画像取得手段が取得した画像からユーザの位置を算出し、
前記発音手段に、算出したユーザの位置に基づいて、前記アレイスピーカの各スピーカユニットから発生させる音声を、それぞれのスピーカユニットに所定の遅延を付与させる請求項１乃至請求項５のいずれかに記載のアラーム装置。
【請求項７】
ユーザに光を照らす照明手段をさらに備え、
前記制御手段は、現在時刻が前記プリアラーム時刻に達したとき、前記照明手段に、前記アラーム時刻まで段階的に明度を大きくしながら継続して光を照らすように設定する請求項１乃至請求項６のいずれかに記載のアラーム装置。
【請求項８】
現在時刻を計時する計時手段を備えた装置に、
複数種類の音声のいずれかを発生させる音声発生処理と、
ユーザがアラーム時刻を設定したとき、この設定されたアラーム時刻に前記音声発生処理で発生する音声であるアラーム音を設定するアラーム音設定処理と、
設定されたアラーム時刻より所定時間前のプリアラーム時刻に前記音声発生処理で発生する音声であるプリアラーム音を、前記アラーム音に基づいた音声に設定するプリアラーム音設定処理と、
現在時刻が前記プリアラーム時刻に達したときに前記プリアラーム音を発生し、前記アラーム時刻に達したときに前記アラーム音を発生する発音指示処理と、
を実行させるプログラム。
【発明の詳細な説明】
【技術分野】
【０００１】
この発明は、決まった時刻に気分のよい目覚めを実現するアラーム装置、およびプログラムに関する。
【背景技術】
【０００２】
従来、決まった時刻に音などの刺激により人体を睡眠から強制的に目覚めさせる目覚まし時計が一般に利用される。しかし、熟睡している時に突然大きな刺激を加えられると、目覚めたときの気分が悪くなる場合がある。これを避けるために、浅い睡眠であるレム睡眠時に目覚まし動作を行ない、目覚め後の気分のよい目覚まし装置が考案されている（例えば、特許文献１参照）。特許文献１の装置では、寝具の下に荷重センサを配置し、体動発生回数と寝姿とから使用者の睡眠状態がレム睡眠であるか否かを判定し、レム睡眠時に報知器を作動させる構成である。レム睡眠の状態で目が覚めると心地よい目覚め感が得られるため、この構成により、心地よい目覚めを実現する目覚まし装置を実現できる。
【０００３】
また、特許文献２の装置は、目覚まし動作を行なったときの人体の体動を検出し、体動の大きさや持続時間などから目覚まし動作に対する人体の反応を検出し、その時点の覚醒状況を反映する人体の反応に応じた刺激を選択して人体に加えることで、決まった時刻に気分のよい目覚めを実現する。
【特許文献１】特開２０００−３１６８３２号公報
【特許文献２】特開２００２−３７２５９３号公報
【発明の開示】
【発明が解決しようとする課題】
【０００４】
しかし、特許文献１に記載されている目覚まし装置では、レム睡眠時に目覚めさせる場合、人体の睡眠状態により睡眠周期も変化するので、起床したい時刻に対して誤差が生じてしまう欠点があった。
【０００５】
また、特許文献１、特許文献２の目覚まし装置ともに、体動を検出する大がかりな機構（同特許文献２においては、寝具の下に振動センサを設置する機構）が必要であった。また、寝具の下に振動センサを設置する構成は、寝心地を悪化させるものであった。
【０００６】
この発明は、簡易な機構でありながら、決まった時刻に気分のよい目覚めを実現するアラーム装置、およびプログラムを提供することを目的とする。
【課題を解決するための手段】
【０００７】
この発明のアラーム装置は、現在時刻を計時する計時手段と、複数種類の音声を発生する発音手段と、ユーザがアラーム時刻を設定したとき、この設定されたアラーム時刻に前記発音手段に発生させる音声であるアラーム音を設定し、設定されたアラーム時刻より所定時間前のプリアラーム時刻に前記発音手段に発生させる音声であるプリアラーム音を、前記アラーム音に基づいた音声に設定し、前記発音手段に、現在時刻が前記プリアラーム時刻に達したときに前記プリアラーム音を発生させ、現在時刻が前記アラーム時刻に達したときに前記アラーム音を発生させる制御手段と、を備えたことを特徴とする。
【０００８】
この発明では、ユーザがアラーム時刻を設定すると、そのアラーム時刻よりも前にプリアラーム時刻が自動的に設定される。プリアラーム時刻に発せられる音声（例えば楽音）は、アラーム時刻に発せられる楽音に基づいて自動的に決定される。アラーム楽音とプリアラーム楽音の組み合わせは、予め定めたテーブルにより決定してもよいし、ファジィ推論などにより決定してもよい。例えば、ジャンルによって組み合わせるようにテーブルを決定しておく。ロックのジャンルをアラーム楽音に設定した場合、同じロックのジャンルでバラードミュージックをプリアラーム楽音に設定するようにする。また、クラシックのジャンルをアラーム楽音に設定した場合、ヒーリングミュージック等をプリアラーム楽音に設定するようにしてもよい。いずれにしても、プリアラーム楽音はアラーム楽音に比較して緩やかで温和な楽音を発音するように自動設定する。これにより、気分のよい目覚めを実現する。
【０００９】
また、この発明は、さらに、前記制御手段は、前記発音手段に、プリアラーム時刻に発生したプリアラーム音を、前記アラーム音の発音音量よりも小さい音量で、前記アラーム時刻まで段階的に音量を大きくしながら断続的に、または継続して発生させることを特徴とする。
【００１０】
この発明では、プリアラーム楽音をアラーム楽音より小さい音量で、段階的にアラーム時刻まで大きくする。一般的なスヌーズ機能は、アラーム時刻の１分後、２分後、３分後・・・といった様にアラーム音を徐々に大きくするものであるが、この発明では、アラーム時刻の３分前、２分前、１分前といった様に徐々に音量を大きくする。断続的、または継続的に音量が大きくなって発音されるので、自然な目覚めを誘発する。
【００１１】
また、この発明は、さらに、前記制御手段は、前記プリアラーム音として、環境音の楽音を設定することを特徴とする。
【００１２】
この発明では、プリアラーム楽音として環境音を発音する。環境音は、例えば、鳥のさえずり、小川の流水音等である。また、炊事場の調理音等、家庭内の朝の環境音を発音するようにしてもよい。環境音をプリアラーム楽音とすることで、気分のよい目覚めを実現する。
【００１３】
また、この発明は、さらに、周囲環境音を収音する収音手段をさらに備え、
前記制御手段は、前記プリアラーム時刻に前記発音手段に発生させる音声を、前記プリアラーム音に代えて、前記収音手段が収音する周囲環境音を増幅した増幅環境音に設定し、前記発音手段に、現在時刻がプリアラーム時刻に達したとき、前記増幅環境音を発生させることを特徴とする。
【００１４】
この発明では、周囲環境音をマイクで収音する。この実際に収音した環境音を記録せずに、その場で増幅してプリアラーム楽音として発音する。実際の環境音が増幅されるものであるため、自然な朝の雰囲気をユーザの周囲に発生させることができる。
【００１５】
また、この発明は、さらに、周囲環境音を収音する収音手段と、前記収音手段が収音した周囲環境音を楽音情報として記録する記憶手段と、をさらに備え、前記制御手段は、前記プリアラーム音として、前記記憶手段に記録されている周囲環境音の楽音情報を設定し、前記発音手段に、現在時刻がプリアラーム時刻に達したとき、前記周囲環境音の楽音情報に基づく音声を発生させることを特徴とする。
【００１６】
この発明では、周囲環境音をマイクで収音する。この実際に収音した環境音を記憶しておき、これをプリアラーム楽音として発音する。上記炊事場の調理音の他、朝のテレビニュース音等、ユーザ毎に日常に聞くことができる朝の環境音をプリアラームとすることで、さらに気分のよい目覚めを実現する。
【００１７】
また、この発明は、さらに、画像取得手段と、複数のスピーカユニットをアレイ状に配置したアレイスピーカと、をさらに備え、前記制御手段は、前記画像取得手段が取得した画像からユーザの位置を算出し、前記発音手段に、算出したユーザの位置に基づいて、前記アレイスピーカの各スピーカユニットから発生させる音声を、それぞれのスピーカユニットに所定の遅延を付与させることを特徴とする。
【００１８】
この発明では、カメラによりユーザの存在位置（特に顔）を検出する。画像処理により人体（顔）と認識できた位置にユーザが存在すると判断すればよい。アレイスピーカの各スピーカユニットから発音する楽音に遅延を付与して、楽音の放音方向を傾斜させ、このユーザの位置に楽音を発するようにする。これにより、ユーザ以外の者に不要な楽音を発することなく、確実にプリアラーム楽音、アラーム楽音を聞かせることができる。
【００１９】
また、この発明は、さらに、ユーザに光を照らす照明手段をさらに備え、前記制御手段は、現在時刻が前記プリアラーム時刻に達したとき、前記照明手段に、前記アラーム時刻まで段階的に明度を大きくしながら継続して光を照らすように設定することを特徴とする。
【００２０】
この発明では、プリアラーム時刻に照明を照らし、この光をアラーム時刻まで継続的に明るくしていく。人体は明るさを感じると目覚め易くなるため、アラーム時刻に気分のよい目覚めを実現することができる。
【００２１】
この発明のプログラムは、現在時刻を計時する計時手段を備えた装置に、複数種類の音声のいずれかを発生させる音声発生処理と、ユーザがアラーム時刻を設定したとき、この設定されたアラーム時刻に前記音声発生処理で発生する音声であるアラーム音を設定するアラーム音設定処理と、設定されたアラーム時刻より所定時間前のプリアラーム時刻に前記音声発生処理で発生する音声であるプリアラーム音を、前記アラーム音に基づいた音声に設定するプリアラーム音設定処理と、現在時刻が前記プリアラーム時刻に達したときに前記プリアラーム音を発生し、前記アラーム時刻に達したときに前記アラーム音を発生する発音指示処理と、を実行させることを特徴とする。
【発明の効果】
【００２２】
以上のようにこの発明によれば、ユーザがアラーム時刻を設定すると、そのアラーム時刻よりも前にプリアラーム時刻が自動的に設定され、プリアラーム時刻に発せられる音声は、アラーム時刻に発せられる音声に基づいて自動的に決定されるので、簡易な機構でありながら、決まった時刻に気分のよい目覚めを実現することができる。
【発明を実施するための最良の形態】
【００２３】
以下、図面を参照してこの発明の実施形態であるアラーム装置について説明する。図１は、アラーム装置の構成を示すブロック図である。
【００２４】
図１に示すように、アラーム装置１は、ユーザの操作を受け付ける操作部１１、アラーム装置１を統括的に制御する制御部１２、ワークメモリであるＲＡＭ１３、クロック信号を生成するクロック１４、音声を放音するスピーカ１６、情報をモニタ表示する表示部１８、記憶手段であるＲＯＭ１９、および他の機器と情報を送受信するインタフェース２０を備えている。
【００２５】
各構成部は、バスを介して制御部１２に接続されている。制御部１２は、ＲＯＭ１９に記憶されている動作用プログラムを読み出し、これをＲＡＭ１３に展開することで種々の動作を行う。
【００２６】
操作部１１は、複数のボタン等により構成され、ユーザはこのボタンを操作して、現在の時刻、アラーム時刻、制御部１２が読み出すアラーム楽音等を設定することができる。現在の時刻が設定されると、この時刻は下記クロック１４、および制御部１２により逐次更新される。クロック１４で生成されるクロック信号は、所定周波数に分周され制御部１２へ出力される。制御部１２は、その分周された信号を計数して現在時刻を得る。
【００２７】
制御部１２は、ＲＯＭ１９に記憶されている楽音情報（デジタル録音データ）を読み出し、スピーカ１６から楽音を放音する。なお、スピーカ１６は、必要に応じてＤ／Ａコンバータを内蔵するものである。スピーカ１６は、単一のスピーカユニットであってもよいが、複数のスピーカユニットからなるアレイスピーカにより構成されるようにしてもよい。
【００２８】
ユーザがアラーム時刻を設定し、このアラーム時刻に現在時刻が一致すると、制御部１２は、ＲＯＭ１９に記憶されている楽音情報（デジタル録音データ）を読み出し、スピーカ１６から楽音を放音する。
【００２９】
ユーザは、操作部１１を用いて、この制御部１２が読み出す楽音情報を指定することができる。これにより、自分の好みの楽音をアラーム時刻に発生させることができ、このアラーム装置１を目覚まし時計として利用する場合、決まった時刻に好みの楽音を聞いて目覚めることができる。
【００３０】
スピーカ１６がアレイスピーカにより構成される場合、制御部１２は、各スピーカユニットに入力する音声に所定の遅延を付与し、各スピーカユニットの放音タイミングを制御する。例えば、全スピーカユニットから同じタイミングで音声が放音された場合、それぞれのスピーカユニットから出力された音波は放射状に伝搬していくが、前方以外の方向へ伝搬する音声は、各スピーカユニットから出力された成分と干渉して打ち消される。したがって、前方への成分のみが音声ビームとして伝搬されることになる。また、端部のスピーカユニットから最初に音声を出力し、隣のスピーカユニットから順次所定の遅延時間で音声を出力すると、これらの音声の合成波面はその遅延時間に応じて傾斜するので、音声ビームを斜め方向に向けることができる。したがって、制御部１２は、上述したように、人間の存在位置を算出することができるので、この人間の存在位置に対し、音声ビームを傾けることができる。
【００３１】
表示部１８は、現在の時刻、ユーザが設定したアラーム時刻等を表示する。また、そのほかにもユーザの操作を補助するための種々の情報が表示される。
【００３２】
インタフェース２０は、他の機器と情報を送受信するインタフェースである。このインタフェース２０は、例えばデジタル音声情報を送受信する入出力端子や、種々の情報を有線で送受信するＬＡＮ端子、無線で送受信するＢｌｕｅＴｏｏｔｈ（登録商標）等どの様なものであってもよい。無論、これらのうち１つを備えた例に限らず、複数の端子（インタフェース）により構成されていてもよい。
【００３３】
このようなアラーム装置１において、ユーザによりアラーム時刻及びアラーム楽音が設定されると、自動的にアラーム時刻から所定時刻前の時刻にプリアラーム時刻が設定され、また設定されたアラーム楽音に応じたプリアラーム楽音が自動的に設定される。そして、プリアラーム時刻にプリアラーム楽音を発生させ、アラーム時刻にアラーム楽音させることができる。これによって、アラーム装置１を目覚まし時計として使用する場合、決まった時刻に好みの楽音を聞いて目覚めることができる。なお、プリアラーム楽音はユーザが操作部１１を用いてマニュアルで設定するようにしてもよい。
【００３４】
図２はアラーム装置１にさらに、画像を撮影するカメラ１０、照明手段であるライト１５、音声を収音するマイク１７を備えたアラーム装置２の構成を示すブロック図である。
【００３５】
画像取得手段であるカメラ１０は、ＣＣＤ等のイメージセンサを有している。カメラ１０が取得した画像は、制御部１２に入力される。制御部１２は、入力された画像をＲＯＭ１９に記録する。また、制御部１２は、入力された画像から特定の画像（例えば人間の顔面）を認識する。制御部１２は、認識した画像について、カメラ撮影範囲の座標位置の情報に変換する。この座標位置に基づいて、アラーム装置２に対する人間の存在位置を算出することができる。制御部１２は、人間の顔面の画像を所定の認識アルゴリズムに基づいて認識する。例えば、カメラ１０で取得した画像を複数の小領域に分割して、それぞれの画像をあらかじめ登録しておいた顔パターンと照合する等の処理を行う。また、カラー画像を取得して肌色と一致するか判定してもよい。
【００３６】
ライト１５は、蛍光灯、白熱灯、ＬＥＤなどの照明具により構成され、制御部１２の指示に基づいて輝度を調整し、アラーム装置２の周囲に明かりを照らす。
【００３７】
マイク１７は、アラーム装置１の周囲の音声を収音し、この収音した音声を制御部１２に出力する。制御部１２に入力された音声は、音声データとしてＲＯＭ１９に記録される。マイク１７は、必要に応じてＡ／Ｄコンバータを内蔵するものである。また、制御部１２は、マイク１７で収音した音声をスピーカ１６に入力し、増幅して放音することも可能であるし、ＲＯＭ１９に記録されている収音済みの音声データを読み出してスピーカ１６から放音することも可能である。
【００３８】
なお、インタフェース２０に次の様なユニットを接続することで音声ビームを生成することもできる。図３は、インタフェース２０を介してアラーム装置１をアレイスピーカユニット３を接続する例を示したものである。
【００３９】
アレイスピーカユニット３は、複数のスピーカユニット３３、信号処理回路３１、制御部３２、インタフェース３０から構成され、アラーム装置２とアレイスピーカユニット３は、インタフェース２０とインタフェース３０を介して接続されている。インタフェース３０には信号処理回路３１、および制御部３２が接続されている。信号処理回路３１には、制御部３２、および複数のスピーカユニット３３が接続されている。信号処理回路３１は、入力された音声情報を音声信号に変換し、所定の遅延を付与してそれぞれのスピーカユニット３３に入力する。各スピーカユニット３３は、入力された音声信号から音声を放音する。
【００４０】
アラーム装置２の制御部１２は、上記算出した人間の存在位置の情報と、ＲＯＭ１９から読み出した音声情報をインタフェース２０を介してアレイスピーカユニット３に出力する。人間の存在位置の情報は制御部３２に入力される。また、音声情報は信号処理回路３１に入力される。制御部３２は、入力された人間の存在位置の情報から、人間の存在位置に音声ビームが向くように各スピーカユニット３３に付与すべき遅延時間を計算する。制御部３２は、各スピーカユニットに付与すべき遅延時間を信号処理回路３１に入力し、信号処理回路３１は、この入力された計算遅延時間に基づいた遅延を各スピーカユニット３３に付与する。
【００４１】
また、インタフェース２０に次のようなユニットを接続することで、ユーザに明かりを照らすことができる。図４は、インタフェース２０を介してアラーム装置１をホームサーバ５に接続する例を示したものである。アラーム装置２とホームサーバ５は、インタフェース２０とインタフェース５０を介して接続されている。インタフェース５０には、制御部５１が接続されている。制御部５１は、さらに他のインタフェース５２に接続されており、このホームサーバ５は、同図においては室内ライト７に接続されているが、この他にも家庭内の種々の機器（家電など）に接続される。室内ライト７は、蛍光灯、白熱灯、ＬＥＤなどの照明具により構成されている。
【００４２】
アラーム装置２の制御部１２は、インタフェース２０を介して、照明を点灯すべき指示情報をホームサーバ５に出力する。ホームサーバ５の制御部５１は、この情報に基づいて、接続されている室内ライト７の照明を点灯する。これにより、室内ライト７は、アラーム装置２の制御部１２の指示に基づいて、照明を点灯することができる。また、制御部１２の指示に基づいて輝度を調整することもできる。
【００４３】
次に、本実施形態のアラーム装置１、およびアラーム装置２の動作について説明する。図５はプリアラーム設定動作を示すフローチャートである。このプリアラーム設定動作は、ユーザが操作部１１を用いてアラーム時刻を設定し、発音する楽音を選択したことがトリガとなる。
【００４４】
まず、ユーザが設定したアラーム時刻に基づいて、遡上時間を設定する（ｓ１０）。遡上時間は予め定められた時間（例えば３分）で設定される。この遡上時間は、ユーザが手動で変更できるようにしてもよい。また、ユーザが設定したアラームの時刻と、現在時刻との時間差に基づいて次のようにして設定してもよい。すなわち、一般的に睡眠状態となってから最初のレム睡眠出現までは６０〜１２０分程度であり、その後ノンレム睡眠とレム睡眠を約９０分周期で繰り返すため、アラームの時刻と現在時刻との時間差をこの関係に当てはめて、アラーム時刻がノンレム睡眠時間中と推定される場合には、徐々に覚醒させるために遡上時間を長く設定し、緩やかな目覚めを促す。一方でアラーム時刻がレム睡眠中と推定される場合は、遡上時間は短くする。なお、ユーザがアラーム時刻を設定してから所定時間後（例えば１５分後）に、睡眠状態となったとみなすものである。
【００４５】
次に、アラーム時刻に発音する楽音に基づいて、プリアラームとして発音する楽音を選択する（ｓ１１）。
プリアラーム楽音は、ユーザが設定したアラーム楽音に基づいて選択される。すなわち、ＲＯＭ１９に記憶されているアラーム楽音は、それぞれ、予めテーブルによって対応するプリアラーム楽音が定められている。制御部１２は、図６に示すようなテーブルを参照し、ユーザが設定したアラーム楽音に対応するプリアラーム楽音を読み出すことでプリアラーム楽音を選択する。また、ファジィ推論によりアラーム楽音に対応するプリアラーム楽音を選択するようにしてもよい。
【００４６】
例えば、ロックのジャンルをアラーム楽音に設定した場合、同じロックのジャンルでバラードミュージックをプリアラーム楽音に設定する。また、クラシカルミュージックをアラーム楽音に設定した場合、ヒーリングミュージック等をプリアラーム楽音に設定するようにしてもよい。いずれにしても、プリアラーム楽音はアラーム楽音に比較して緩やかで温和な楽音を発音するように自動設定する。あるいは、操作部１１を用いてユーザがプリアラーム楽音をマニュアル設定するようにしてもよい。
【００４７】
なお、プリアラーム楽音として環境音を発音するようにしてもよい。環境音は、例えば、鳥のさえずり、小川の流水音等である。また、炊事場の調理音等、家庭内の朝の環境音を発音するようにしてもよい。
【００４８】
次に、選択したプリアラーム楽音の発音時の音量を設定する（ｓ１２）。発音時の音量は、アラーム楽音よりも小さい音量に設定する。また、プリアラーム楽音を発音してから１分後、２分後、３分後、、、といった間隔で徐々に音量を大きくするように設定してもよい。断続的、または継続的に音量が大きくなって発音されるので、自然な目覚めを誘発することができる。この音量選択も図５のテーブルに基づいて設定される。
【００４９】
最後に、以上の設定項目をＲＡＭ１３に記録するプリアラーム設定を実行する（ｓ１３）。これにより、制御部１２は、プリアラーム時刻（アラーム時刻から上記遡上時間を遡った時刻）に達したとき、プリアラーム楽音を発音する。
【００５０】
なお、実際の周囲環境音をプリアラーム楽音として設定するようにしてもよい。この場合、制御部１２は、プリアラーム時刻に達したときに、マイク１７で収音した音声を増幅し、スピーカ１６から発音するようにする。炊事場の調理音の他、朝のテレビニュース音等、ユーザ毎に日常に聞くことができる実際の朝の環境音が増幅されるものであるため、自然な朝の雰囲気を発生させることができる。また、マイク１７で収音した音声をＲＯＭ１９に記録しておき、プリアラーム時刻に達したときに、このＲＯＭ１９に記録されている録音環境音を読み出して、プリアラーム楽音として発音するようにしてもよい。ユーザ毎に日常に聞くことができる朝の環境音をプリアラーム楽音とする。
【００５１】
また、アラーム装置２においては、制御部１２は、プリアラーム時刻に達したとき、ライト１５を点灯するようにしてもよい。また、この光をアラーム時刻まで継続的に明るくしていくようにしてもよい。人体は明るさを感じると目覚め易くなるため、アラーム時刻に気分のよい目覚めを実現することができる。アラーム装置１が図４のようなホームサーバ５に接続されている場合は、プリアラーム時刻に達したとき、照明を点灯すべき指示情報をホームサーバ５に出力し、室内ライト７を点灯させるようにしてもよい。
【００５２】
また、スピーカ１６がアレイスピーカにより構成される場合、またはアラーム装置２がアレイスピーカユニット３に接続されている場合、制御部１２は、以下のような動作を行うことができる。図７は、アレイスピーカによりユーザに楽音を放音する場合の制御部１２の動作を示すフローチャートである。
【００５３】
まず、制御部１２は、カメラ１０から画像を取得し（ｓ２０）、入力された画像から人間の顔面を認識する（ｓ２１）。制御部１２は、人間の顔面の画像を所定の認識アルゴリズムに基づいて認識する。また、認識した画像について、カメラ撮影範囲の座標位置の情報に変換し、この座標位置に基づいて、アラーム装置２に対する人間（ユーザ）の存在位置を算出する（ｓ２２）。
【００５４】
最後に、算出したユーザの存在位置の方向に音声ビームが向くように、各スピーカユニットに供給する音声信号の遅延時間を計算する（ｓ２３）。これにより、ユーザの存在方向にのみプリアラーム楽音、アラーム楽音が放音され、ユーザ以外の者に不要な楽音を発することなく、確実にプリアラーム楽音、アラーム楽音を聞かせることができる。
【００５５】
なお、本実施形態においてはアラーム音は楽音である例を示したが、これに限らず単にベル音等であってもよい。この場合もプリアラーム音は緩やかで温和な音声を発音するように設定すればよい。
【００５６】
なお、上述のアラーム装置１、およびアラーム装置２の動作を行うプログラムを携帯電話に内蔵させることで、本発明のアラーム装置を携帯電話によっても実現することができる。この場合、ユーザが当該プログラムを実行するように携帯電話を操作して指示すればよい。
【図面の簡単な説明】
【００５７】
【図１】アラーム装置の構成を示すブロック図
【図２】アラーム装置２の構成を示すブロック図
【図３】アラーム装置にアレイスピーカユニットを接続する例について示す図
【図４】アラーム装置にホームサーバを接続する例について示す図
【図５】プリアラーム設定動作を示すフローチャート
【図６】プリアラーム楽音設定テーブルを示す図
【図７】アレイスピーカによりユーザに楽音を放音する場合の動作を示すフローチャート
【符号の説明】
【００５８】
１，２−アラーム装置
１０−カメラ
１１−操作部
１２−制御部
１３−ＲＡＭ
１４−クロック
１５−ライト
１６−スピーカ
１７−マイク
１８−表示部
１９−ＲＯＭ
２０−インタフェース
【図１】
2007271296.tif 000003
【図２】
2007271296.tif 000004
【図３】
2007271296.tif 000005
【図４】
2007271296.tif 000006
【図５】
2007271296.tif 000007
【図６】
2007271296.tif 000008
【図７】
2007271296.tif 000009